(57)【要約】【課題】平面スパイラル導体の最外周の太りを防止しかつ外部電極の面積を確保する。【解決手段】コイル部品１は、基板２と、電解めっきによって基板２のおもて面２ｔに形成された平面スパイラル導体１０ａと、平面スパイラル導体１０ａの外周端に接続された引出導体１１ａと、基板２のおもて面のうち、平面スパイラル導体１０ａの最外周と基板２の端部２Ｘ２との間に形成され、かつ少なくとも同一平面内で他の導体と接続されないダミー引出導体１５ａと、基板２のおもて面と平行に設けられた外部電極２６ａ，２６ｂと、電解めっきによって引出導体１１ａの表面に形成され、引出導体１１ａと外部電極２６ｂとを接続するバンプ電極２５ｂとを備える。外部電極２６ａ，２６ｂの面積は、バンプ電極１５ａ，１５ｂよりも大きいので、表面実装時の接合強度を確保できる。【選択図】図１
2014013815.tif 000002
【特許請求の範囲】
【請求項１】
基板と、
電解めっきによって前記基板の表面に形成された平面スパイラル導体と、
前記基板の表面に形成され、前記平面スパイラル導体の外周端に接続された引出導体と、
前記基板の前記表面のうち、前記平面スパイラル導体の最外周と前記基板の端部との間に形成され、かつ少なくとも同一平面内で他の導体と接続されないダミー引出導体と、
前記基板の前記表面と平行に設けられた外部電極と、
電解めっきによって前記引出導体の表面に形成され、前記引出導体と前記外部電極とを接続するバンプ電極とを備え、
前記外部電極の面積は、前記バンプ電極よりも大きいことを特徴とするコイル部品。
【請求項２】
前記平面スパイラル導体は円形スパイラル形状を有し、
前記平面スパイラル導体と対向する前記ダミー引出導体の側面は、前記平面スパイラル導体の最外周に沿って湾曲している、請求項１に記載のコイル部品。
【請求項３】
前記平面スパイラル導体、前記引出導体及び前記ダミー引出導体を覆う絶縁樹脂層と、
前記絶縁樹脂層の上から前記基板の前記表面を覆う金属磁性粉含有樹脂層とをさらに備え、
前記外部電極は、前記金属磁性粉含有樹脂層の側面に形成されることなく主面に選択的に形成され、
前記バンプ電極は、前記絶縁樹脂層及び前記金属磁性粉含有樹脂層を貫通して前記外部電極に接続されていることを特徴とする請求項１又は２に記載のコイル部品。
【請求項４】
前記金属磁性粉含有樹脂層と同一材料からなる第１及び第２のスルーホール磁性体をさらに備え、
前記第１のスルーホール磁性体は、前記平面スパイラル導体に囲まれた中央部において前記基板を貫通しており、
前記第２のスルーホール磁性体は、前記平面スパイラル導体の外側において前記基板を貫通している、請求項３に記載のコイル部品。
【請求項５】
前記基板は矩形状であり、
前記平面スパイラル導体は楕円スパイラル形状を有し、
前記第２のスルーホール磁性体は前記基板の四隅に対応してそれぞれ設けられている、請求項４に記載のコイル部品。
【請求項６】
前記基板は、互いに平行な第１及び第２の辺と、前記第１及び第２の辺と直交する互いに平行な第３及び第４の辺とを有し、
前記引出導体は前記第１の辺に沿って延設されており、
前記ダミー引出導体は前記第２の辺に沿って延設されており、
前記第２のスルーホール磁性体は、前記第３及び第４の辺に設けられている、請求項５に記載のコイル部品。
【請求項７】
前記バンプ電極は、前記引出導体と共に前記第１の辺に沿って延設されている、請求項６に記載のコイル部品。
【請求項８】
基板と、
電解めっきによって前記基板のおもて面に形成された第１の平面スパイラル導体と、
電解めっきによって前記基板のうら面に形成された第２の平面スパイラル導体と、
前記基板を貫通し、前記第１の平面スパイラル導体の内周端と前記第２の平面スパイラル導体の内周端とを接続する第１のスルーホール導体と、
前記基板のおもて面のうち、前記第１の平面スパイラル導体の最外周と前記基板の端部との間に形成され、かつ少なくとも同一平面内で他の導体と接続されない第１のダミー引出導体と、
前記基板のうら面のうち、前記第２の平面スパイラル導体の最外周と前記基板の端部との間に形成され、かつ少なくとも同一平面内で他の導体と接続されない第２のダミー引出導体と、
前記基板のおもて面のうち平面視で前記第２のダミー引出導体と重なる位置に形成され、前記第１の平面スパイラル導体の外周端に接続する第１の引出導体と、
前記基板のうら面のうち平面視で前記第１のダミー引出導体と重なる位置に形成され、前記第２の平面スパイラル導体の外周端に接続する第２の引出導体と、
前記基板を貫通し、前記第１のダミー引出導体と前記第２の引出導体とを接続する第２のスルーホール導体と、
前記基板の前記表面と平行に設けられ、前記第１及び第２の平面スパイラル導体とそれぞれ電気的に接続される第１及び第２の外部電極と、
電解めっきによって前記第１の引出導体の表面に形成され、当該第１の引出導体と前記第１の外部電極とを接続する第１のバンプ電極と、
電解めっきによって前記第１のダミー引出導体の表面に形成され、当該第１のダミー引出導体と前記第２の外部電極とを接続する第２のバンプ電極とを備え、
前記第１の外部電極の面積は、前記第１のバンプ電極よりも大きく、
前記第２の外部電極の面積は、前記第２のバンプ電極よりも大きいことを特徴とするコイル部品。
【請求項９】
前記第１及び第２の平面スパイラル導体は円形スパイラル形状を有し、
前記第１の平面スパイラル導体と対向する前記第１のダミー引出導体の側面は、前記第１の平面スパイラル導体の最外周に沿って湾曲しており、
前記第２の平面スパイラル導体と対向する前記第２のダミー引出導体の側面は、前記第２の平面スパイラル導体の最外周に沿って湾曲している、請求項８に記載のコイル部品。
【請求項１０】
前記基板のおもて面側に設けられた第１の金属磁性粉含有樹脂層と、
前記基板のうら面側に設けられた第２の金属磁性粉含有樹脂層とを備え、
前記第１及び第２の外部電極は、前記第１の金属磁性粉含有樹脂層の側面に形成されることなく主面に選択的に形成され、
前記第１及び第２のバンプ電極は、前記第１の金属磁性粉含有樹脂層を貫通して前記第１及び第２の外部電極にそれぞれ接続されていることを特徴とする請求項９に記載のコイル部品。
【請求項１１】
前記第１及び第２の金属磁性粉含有樹脂層と同一材料からなり、前記基板を貫通して前記第１の金属磁性粉含有樹脂層と前記第２の金属磁性粉含有樹脂層とを接続する第１及び第２のスルーホール磁性体をさらに備え、
前記第１のスルーホール磁性体は、前記第１及び第２の平面スパイラル導体に囲まれた中央部において前記基板を貫通しており、
第２のスルーホール磁性体は、前記第１及び第２の平面スパイラル導体の外側において前記基板を貫通している、請求項１０に記載のコイル部品。
【請求項１２】
前記基板は矩形状であり、
前記第１及び第２の平面スパイラル導体は楕円スパイラル形状を有し、
前記第２のスルーホール磁性体は前記基板の四隅に対応してそれぞれ設けられている、請求項１１に記載のコイル部品。
【請求項１３】
基板の表面に、平面スパイラル導体、前記平面スパイラル導体の外周端に接続された引出導体、及び前記平面スパイラル導体と前記基板の端部との間に設けられ、かつ少なくとも同一平面内で他の導体に接続されないダミー引出導体を形成する第１めっき工程と、
前記平面スパイラル導体、前記引出導体及び前記ダミー引出導体に金属イオンを電着させる第２めっき工程と、
少なくとも前記引出導体の表面の一部にバンプ電極を形成する第３めっき工程と、
前記平面スパイラル導体、前記引出導体、前記ダミー引出導体及び前記バンプ電極を覆う絶縁樹脂層を形成する絶縁樹脂層形成工程と、
前記絶縁樹脂層を覆う金属磁性粉含有樹脂層を形成する金属磁性粉含有樹脂層形成工程と、
前記バンプ電極の先端部が露出するように前記金属磁性粉含有樹脂層の主面を研磨する研磨工程と、
前記金属磁性粉含有樹脂層の主面に、前記バンプ電極の先端部よりも広い面積を有しかつ当該先端部に接続された外部電極を形成する外部電極形成工程とを備えることを特徴とするコイル部品の製造方法。
【請求項１４】
前記第１めっき工程は、
前記基板のおもて面に、第１の平面スパイラル導体、前記第１の平面スパイラル導体の外周端に接続された第１の引出導体、及び、前記第１の平面スパイラル導体の最外周と前記基板の端部との間の領域に形成され、前記第１のスパイラル導体に接続されない第１のダミー引出導体を形成する工程と、
前記基板のうら面に、第２の平面スパイラル導体、前記第２の平面スパイラル導体の外周端に接続された第２の引出導体、及び、前記第２の平面スパイラル導体の最外周と前記基板の端部との間の領域に形成され、前記第２のスパイラル導体に接続されない第２のダミー引出導体を形成する工程と、
前記基板を貫通して前記第１の平面スパイラル導体の内周端と前記第２の平面スパイラル導体の内周端とを接続する第１のスルーホール導体を形成する工程と、
前記基板を貫通して前記第１のダミー引出導体と前記第２の引出導体とを接続する第２のスルーホール導体を形成する工程とを含み、
前記第３めっき工程は、
前記第１の引出導体に接続された第１のバンプ電極と、前記第１のダミー引出導体に接続された第２のバンプ電極とを形成する工程を含み、
前記外部電極形成工程は、
前記第１のバンプ電極に接続された第１の外部電極と、前記第２のバンプ電極に接続された第２の外部電極とを形成する工程とを含み、
前記第１のダミー引出導体は、平面視で前記第２の引出導体と重なる位置に配置され、
前記第２のダミー引出導体は、平面視で前記第１の引出導体と重なる位置に配置される、請求項１３に記載のコイル部品の製造方法。
【請求項１５】
前記金属磁性粉含有樹脂層形成工程は、
前記金属磁性粉含有樹脂層と同一材料からなる第１及び第２のスルーホール磁性体を形成する工程を含み、
前記第１のスルーホール磁性体は、前記平面スパイラル導体に囲まれた中心部において前記基板を貫通しており、
前記第２のスルーホール磁性体は、前記平面スパイラル導体の外側において前記基板を貫通している、請求項１４に記載のコイル部品の製造方法。
【請求項１６】
前記第３めっき工程は、
前記第１及び第２のバンプ電極の形成位置に開口を有するマスクパターンを形成する工程と、
前記第１及び第２のバンプ電極の露出部分を選択的にめっき成長させる工程とを含む、請求項１５に記載のコイル部品の製造方法。
【発明の詳細な説明】
【技術分野】
【０００１】
本発明はコイル部品及びその製造方法に関し、特に、電解めっきによりプリント基板上に形成した平面スパイラル導体を有するコイル部品及びその製造方法に関する。
【背景技術】
【０００２】
民生用又は産業用の電子機器分野では、電源用のインダクタとして表面実装型のコイル部品を用いることが多くなっている。表面実装型のコイル部品は、小型・薄型で電気的絶縁性に優れ、しかも低コストで製造できるためである。
【０００３】
表面実装型のコイル部品の具体的構造のひとつに、プリント回路基板技術を応用した平面コイル構造がある。製造工程の観点からこの構造を簡単に説明すると、まずプリント回路基板上に平面スパイラル形状のシードレイヤ（下地膜）を形成する。そして、めっき液中に浸してシードレイヤに直流電流（以下、「めっき電流」という）を流すことにより、めっき液中の金属イオンをシードレイヤ上に電着させる。これにより平面スパイラル導体が形成され、その後、形成した平面スパイラル導体を覆う絶縁樹脂層と、保護層及び磁路としての金属磁性粉含有樹脂層とを順次形成し、コイル部品が完成する。この構造によれば、寸法及び位置の精度を非常に高い値に維持でき、また、小型化及び薄型化が可能になる。特許文献１には、このような平面コイル構造を有する平面コイル素子が開示されている。
【先行技術文献】
【特許文献】
【０００４】
【特許文献１】特開２００６−６６８３０号公報
【発明の概要】
【発明が解決しようとする課題】
【０００５】
ところで、導体の形成に上記のような電解めっきを用いるのは、平面スパイラル導体の導体厚をできるだけ大きくするためである。そのために、出願人は、出願人が「ＨＡＰ（ハイアスペクトプレーティング）めっき」と呼ぶ特殊なめっきを行うことで、導体厚をより大きくできるようにしている。
【０００６】
ＨＡＰめっきでは、電解めっきの際の電流を従来より大きくして、電着した金属イオンによって構成されるめっき層を高速成長させる。これにより、めっき層の厚みを従来より大きく確保することが可能になるので、平面スパイラル導体の導体厚を従来より厚くすることが可能になる。
【０００７】
しかしながら、ＨＡＰめっきを行う場合、平面スパイラル導体の最外周に相当する部分のめっき層が横方向に異常成長してしまう場合がある。つまり、ＨＡＰめっきでは、めっき電流が大きいためにめっき層が横方向にも成長しようとするが、隣接して他のシードレイヤがある箇所では、他のシードレイヤ上に成長するめっき層の存在によって、横方向への成長が抑制される。これに対し、平面スパイラル導体の最外周のように隣接する他のシードレイヤがない箇所では、横方向への成長を抑制するものがない。このため、最外周の線幅が過度に太くなり、所望のスパイラルパターンを形成できないという問題がある。このようなパターンコイル部品の特性劣化の原因となるため、特に防止する必要がある。
【０００８】
さらに最近は、高密度実装に対応するため、チップの底面だけに電極面を形成する外部電極構造の採用が増えてきている。チップの側面の電極面を省略して半田フィレットが形成されないようにすることにより、チップ部品の占有面積を縮小することができる。コイル部品において底面電極だけの電極構造とする場合、スパイラル導体の端部をチップの側面側に引き出さず、チップ部品の底面側に引き出して外部電極と接続する必要があり、電極構造の工夫が求められている。特に、表面実装時に接合強度が得られるよう、底面電極の面積を十分に確保する必要がある。
【０００９】
したがって、本発明の目的は、平面スパイラル導体の最外周の形状が大きく変形することを防止でき、かつチップの底面だけに外部電極を形成することができるコイル部品及びその製造方法を提供することにある。
【課題を解決するための手段】
【００１０】
上記課題を解決するため、本発明によるコイル部品は、基板と、電解めっきによって前記基板の表面に形成された平面スパイラル導体と、前記基板の表面に形成され、前記平面スパイラル導体の外周端に接続された引出導体と、前記基板の前記表面のうち、前記平面スパイラル導体の最外周と前記基板の端部との間に形成され、かつ少なくとも同一平面内で他の導体と接続されないダミー引出導体と、前記基板の前記表面と平行に設けられた外部電極と、電解めっきによって前記引出導体の表面に形成され、前記引出導体と前記外部電極とを接続するバンプ電極とを備え、前記外部電極の面積は前記バンプ電極よりも大きいことを特徴とする。
【００１１】
本発明によれば、平面スパイラル導体の最外周と基板の端部との間にダミー引出導体が設けられているので、電解めっき工程において平面スパイラル導体の最外周を構成するめっき層が横方向へ成長することを抑制できる。したがって、平面スパイラル導体の最外周の線幅が極端に太くなることを防止することができる。さらに、本発明によれば、バンプ電極を介してスパイラル導体と外部電極とを接続でき、バンプ電極よりも大きな面積を有する外部電極を用いることによって表面実装時に所望の実装強度を確保することができる。
【００１２】
本発明において、前記平面スパイラル導体は円形スパイラル形状を有し、前記平面スパイラル導体と対向する前記ダミー引出導体の側面は、前記平面スパイラル導体の最外周に沿って湾曲していることが好ましい。ダミー引出導体の側面をこのような湾曲形状とした場合には、平面スパイラル導体の最外周を構成するめっき層の横方向への成長を確実に抑制することができる。したがって、高精度なパターンを形成することができ、最外周の線幅をそれよりも内側の線幅と等しくすることが可能である。
【００１３】
本発明によるコイル部品は、前記平面スパイラル導体、前記引出導体及び前記ダミー引出導体を覆う絶縁樹脂層と、前記絶縁樹脂層の上から前記基板の前記表面を覆う金属磁性粉含有樹脂層とをさらに備え、前記外部電極は、前記金属磁性粉含有樹脂層の側面に形成されることなく主面に選択的に形成され、前記バンプ電極は、前記絶縁樹脂層及び前記金属磁性粉含有樹脂層を貫通して前記外部電極に接続されていることが好ましい。この構成によれば、直流重畳特性に優れた電源用チョークコイルを提供することが可能になる。さらに、チップ側面に半田フィレットを形成しない底面電極のみの電極構造とすることができ、近年の高密度実装の要求に対応することができる。
【００１４】
本発明によるコイル部品は、前記金属磁性粉含有樹脂層と同一材料からなる第１及び第２のスルーホール磁性体をさらに備え、前記第１のスルーホール磁性体は、前記平面スパイラル導体に囲まれた中央部において前記基板を貫通しており、前記第２のスルーホール磁性体は、前記平面スパイラル導体の外側において前記基板を貫通していることが好ましい。この構成によれば、コイルの直流重畳特性をさらに高めることができる。
【００１５】
本発明において、前記基板は矩形状であり、前記平面スパイラル導体は楕円スパイラル形状を有し、前記第２のスルーホール磁性体は前記基板の四隅に対応してそれぞれ設けられていることが好ましい。この構成によれば、限られた寸法内でコイルの形成領域をできるだけ大きくしながら、スルーホール磁性体の形成領域を確保することができる。したがって、コイルのインダクタンスと直流重畳特性の両方を向上させることができる。
【００１６】
本発明において、前記基板は、互いに平行な第１及び第２の辺と、前記第１及び第２の辺と直交する互いに平行な第３及び第４の辺とを有し、前記引出導体は前記第１の辺に沿って延設されており、前記ダミー引出導体は前記第２の辺に沿って延設されており、第２のスルーホール磁性体は、前記第３及び第４の辺に設けられていることが好ましい。この構成によれば、引出導体及びダミー引出導体の形成領域が第２のスルーホール磁性体によって制限されないので、引出導体を第１の辺の端から端まで延設することができ、またダミー引出導体を第２の辺の端から端まで延設することができる。
【００１７】
本発明において、前記バンプ電極は、前記引出導体と共に前記第１の辺に沿って延設されていることが好ましい。この構成によれば、バンプ電極の形成歩留りを向上させることができ、めっき成長の時短化を図ることができる。
【００１８】
本発明の他の側面によるコイル部品は、基板と、電解めっきによって前記基板のおもて面に形成された第１の平面スパイラル導体と、電解めっきによって前記基板のうら面に形成された第２の平面スパイラル導体と、前記基板を貫通し、前記第１の平面スパイラル導体の内周端と前記第２の平面スパイラル導体の内周端とを接続する第１のスルーホール導体と、前記基板のおもて面のうち、前記第１の平面スパイラル導体の最外周と前記基板の端部との間に形成され、かつ少なくとも同一平面内で他の導体と接続されない第１のダミー引出導体と、前記基板のうら面のうち、前記第２の平面スパイラル導体の最外周と前記基板の端部との間に形成され、かつ少なくとも同一平面内で他の導体と接続されない第２のダミー引出導体と、前記基板のおもて面のうち平面視で前記第２のダミー引出導体と重なる位置に形成され、前記第１の平面スパイラル導体の外周端に接続する第１の引出導体と、前記基板のうら面のうち平面視で前記第１のダミー引出導体と重なる位置に形成され、前記第２の平面スパイラル導体の外周端に接続する第２の引出導体と、前記基板を貫通し、前記第１のダミー引出導体と前記第２の引出導体とを接続する第２のスルーホール導体と、前記基板の前記表面と平行に設けられ、前記第１及び第２の平面スパイラル導体とそれぞれ電気的に接続される第１及び第２の外部電極と、電解めっきによって前記第１の引出導体の表面に形成され、当該第１の引出導体と前記第１の外部電極とを接続する第１のバンプ電極と、電解めっきによって前記第１のダミー引出導体の表面に形成され、当該第１のダミー引出導体と前記第２の外部電極とを接続する第２のバンプ電極とを備え、前記第１の外部電極の面積は、前記第１のバンプ電極よりも大きく、前記第２の外部電極の面積は、前記第２のバンプ電極よりも大きいことを特徴とする。
【００１９】
本発明によれば、第１及び第２の平面スパイラル導体の最外周と基板の端部との間に第１及び第２のダミー引出導体がそれぞれ設けられているので、電解めっき工程において第１及び第２の平面スパイラル導体の最外周を構成するめっき層が横方向へ成長することを抑制できる。したがって、第１及び第２の平面スパイラル導体の最外周の線幅が極端に太くなることを防止することができる。さらに、本発明によれば、第１のバンプ電極を介して第１の平面スパイラル導体と第１の外部電極とを接続でき、また第２のバンプ電極を介して第２の平面スパイラル導体と第２の外部電極とを接続でき、第１及び第２のバンプ電極よりも大きな面積を有する第１及び第２の外部電極を用いることによって表面実装時に所望の実装強度を確保することができる。
【００２０】
本発明において、前記第１及び第２の平面スパイラル導体は円形スパイラル形状を有し、前記第１の平面スパイラル導体と対向する前記第１のダミー引出導体の側面は、前記第１の平面スパイラル導体の最外周に沿って湾曲しており、前記第２の平面スパイラル導体と対向する前記第２のダミー引出導体の側面は、前記第２の平面スパイラル導体の最外周に沿って湾曲していることが好ましい。第１及び第２のダミー引出導体の側面をこのような湾曲形状とした場合には、第１及び第２の平面スパイラル導体の最外周を構成するめっき層の横方向への成長を確実に抑制することができる。したがって、高精度なパターンを形成することができ、最外周のライン幅を内側のラインと等幅にすることが可能である。
【００２１】
本発明によるコイル部品は、前記基板のおもて面側に設けられた第１の金属磁性粉含有樹脂層と、前記基板のうら面側に設けられた第２の金属磁性粉含有樹脂層とを備え、前記第１及び第２の外部電極は、前記第１の金属磁性粉含有樹脂層の側面に形成されることなく主面に選択的に形成され、前記第１及び第２のバンプ電極は、前記第１の金属磁性粉含有樹脂層を貫通して前記第１及び第２の外部電極にそれぞれ接続されていることが好ましい。この構成によれば、直流重畳特性に優れた電源用チョークコイルを提供することが可能となる。さらに、チップ側面に半田フィレットを形成させない底面電極のみの電極構造とすることができ、近年の高密度実装の要求に対応することができる。
【００２２】
本発明によるコイル部品は、前記第１及び第２の金属磁性粉含有樹脂層と同一材料からなり、前記基板を貫通して前記第１の金属磁性粉含有樹脂層と前記第２の金属磁性粉含有樹脂層とを接続する第１及び第２のスルーホール磁性体をさらに備え、前記第１のスルーホール磁性体は、前記第１及び第２の平面スパイラル導体に囲まれた中央部において前記基板を貫通しており、第２のスルーホール磁性体は、前記第１及び第２の平面スパイラル導体の外側において前記基板を貫通していることが好ましい。これによれば、コイルの直流重畳特性をさらに高めることができる。
【００２３】
本発明において、前記基板は矩形状であり、前記第１及び第２の平面スパイラル導体は楕円スパイラル形状を有し、前記第２のスルーホール磁性体は前記基板の四隅に対応してそれぞれ設けられていることが好ましい。この構成によれば、限られた寸法内でコイルの形成領域をできるだけ大きくしながら、スルーホール磁性体の形成領域を確保することができる。したがって、コイルのインダクタンスと直流重畳特性の両方を向上させることができる。
【００２４】
本発明によるコイル部品の製造方法は、基板の表面に、平面スパイラル導体、前記平面スパイラル導体の外周端に接続された引出導体、及び前記平面スパイラル導体と前記基板の端部との間に設けられ、かつ少なくとも同一平面内で他の導体に接続されないダミー引出導体を形成する第１めっき工程と、前記平面スパイラル導体、前記引出導体及び前記ダミー引出導体に金属イオンを電着させる第２めっき工程と、少なくとも前記引出導体の表面の一部にバンプ電極を形成する第３めっき工程と、前記平面スパイラル導体、前記引出導体、前記ダミー引出導体及び前記バンプ電極を覆う絶縁樹脂層を形成する絶縁樹脂層形成工程と、前記絶縁樹脂層を覆う金属磁性粉含有樹脂層を形成する金属磁性粉含有樹脂層形成工程と、前記バンプ電極の先端部が露出するように前記金属磁性粉含有樹脂層の主面を研磨する研磨工程と、前記金属磁性粉含有樹脂層の主面に、前記バンプ電極の先端部よりも広い面積を有しかつ当該先端部に接続された外部電極を形成する外部電極形成工程とを備えることを特徴とする。
【００２５】
本発明において、前記第１めっき工程は、前記基板のおもて面に、第１の平面スパイラル導体、前記第１の平面スパイラル導体の外周端に接続された第１の引出導体、及び、前記第１の平面スパイラル導体の最外周と前記基板の端部との間の領域に形成され、前記第１のスパイラル導体に接続されない第１のダミー引出導体を形成する工程と、前記基板のうら面に、第２の平面スパイラル導体、前記第２の平面スパイラル導体の外周端に接続された第２の引出導体、及び、前記第２の平面スパイラル導体の最外周と前記基板の端部との間の領域に形成され、前記第２のスパイラル導体に接続されない第２のダミー引出導体を形成する工程と、前記基板を貫通して前記第１の平面スパイラル導体の内周端と前記第２の平面スパイラル導体の内周端とを接続する第１のスルーホール導体を形成する工程と、前記基板を貫通して前記第１のダミー引出導体と前記第２の引出導体とを接続する第２のスルーホール導体を形成する工程とを含み、前記第３めっき工程は、前記第１の引出導体に接続された第１のバンプ電極と、前記第１のダミー引出導体に接続された第２のバンプ電極とを形成する工程を含み、前記外部電極形成工程は、前記第１のバンプ電極に接続された第１の外部電極と、前記第２のバンプ電極に接続された第２の外部電極とを形成する工程とを含み、前記第１のダミー引出導体は、平面視で前記第２の引出導体と重なる位置に配置され、前記第２のダミー引出導体は、平面視で前記第１の引出導体と重なる位置に配置されることが好ましい。
【００２６】
本発明において、前記金属磁性粉含有樹脂層形成工程は、前記金属磁性粉含有樹脂層と同一材料からなる第１及び第２のスルーホール磁性体を形成する工程を含み、前記第１のスルーホール磁性体は、前記平面スパイラル導体に囲まれた中心部において前記基板を貫通しており、前記第２のスルーホール磁性体は、前記平面スパイラル導体の外側において前記基板を貫通していることが好ましい。これによれば、直流重畳特性に優れた電源用チョークコイルを提供することが可能になる。
【００２７】
本発明において、前記第３めっき工程は、前記第１及び第２のバンプ電極の形成位置に開口を有するマスクパターンを形成する工程と、前記開口から露出する下地導体の露出部分を選択的にめっき成長させる工程とを含むことが好ましい。これによれば、引出導体またはダミー引出導体の表面に任意の形状のバンプ電極を容易に形成することができる。
【発明の効果】
【００２８】
本発明によれば、平面スパイラル導体の最外周と基板の端部との間に形成されたダミー引出導体によって、電解めっき工程において平面スパイラル導体の最外周を構成するめっき層の横方向への成長を抑制することができる。また、コイル部品の底面だけに電極面を有する外部電極を採用することができ、コイル形成領域及び磁性体形成領域を減らすことなく、外部電極の所望の面積を確保することができる。
【図面の簡単な説明】
【００２９】
【図１】本発明の第１の実施の形態によるコイル部品の分解斜視図である。
【図２】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図３】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図４】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図５】実際にＨＡＰめっきを行って形成した平面スパイラル導体の断面電子顕微鏡写真のトレースである。
【図６】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図７】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図８】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図９】量産工程の途中における、本発明の第１の実施の形態によるコイル部品を示す図であって、（ａ）は、切断前の基板をおもて面側から見た平面図であり、（ｂ）は、（ａ）のＡ−Ａ線断面図である。
【図１０】量産工程の途中における、個片化後の本発明の第１の実施の形態によるコイル部品を示す図である。
【図１１】量産工程の途中における、個片化後の本発明の第１の実施の形態によるコイル部品を示す図である。
【発明を実施するための形態】
【００３０】
以下、添付図面を参照しながら、本発明の好ましい実施の形態について詳細に説明する。
【００３１】
図１は、本発明の第１の実施の形態によるコイル部品１の分解斜視図である。同図に示すように、コイル部品１は略矩形の基板２を有している。「略矩形」とは、完全な矩形の他、一部の角が欠けている矩形を含む意である。本明細書では矩形の「角部」という用語を用いるが、一部の角が欠けている矩形についての「角部」とは、欠けがないとした場合に得られる完全な矩形の角部を意味する。
【００３２】
基板２の材料には、ガラスクロスにエポキシ樹脂を含浸させた一般的なプリント基板を用いることが好ましい。また、例えばＢＴレジン基材、ＦＲ４基材、ＦＲ５基材を用いてもよい。
【００３３】
基板２のおもて面２ｔの中央部には、平面スパイラル導体１０ａ（第１の平面スパイラル導体）が形成される。同様に、うら面２ｂの中央部には、平面スパイラル導体１０ｂ（第２の平面スパイラル導体）が形成される。また、基板２には導体埋込用のスルーホール１２ａが設けられ、その内部にスルーホール導体１２（第１のスルーホール導体）が埋め込まれている。平面スパイラル導体１０ａの内周端と平面スパイラル導体１０ｂの内周端とは、スルーホール導体１２によって互いに接続される。
【００３４】
平面スパイラル導体１０ａ，１０ｂは楕円スパイラル形状を有することが好ましい。楕円スパイラルによれば、基板の矩形形状に合わせてできる限り大きなループサイズを確保することが可能である。また、詳細は後述するが、基板２の四隅であって角部よりも幅方向の中央寄りにスルーホール磁性体２２ｄを形成する場合、長円スパイラルよりもその形成領域を確保しやすいからである。
【００３５】
平面スパイラル導体１０ａと平面スパイラル導体１０ｂとは、互いに反対向きに巻回されている。つまり、おもて面２ｔの側から見た平面スパイラル導体１０ａは、内周端から外周端に向かって反時計回りに巻回されているのに対し、おもて面２ｔの側から見た平面スパイラル導体１０ｂは、内周端から外周端に向かって時計回りに巻回されている。このような巻回方法を採用したことにより、コイル部品１では、平面スパイラル導体１０ａの外周端と平面スパイラル導体１０ｂの外周端との間に電流を流した場合に、両平面スパイラル導体が互いに同一方向の磁場を発生して強め合う。したがって、コイル部品１は、１つのインダクタとして機能する。
【００３６】
基板２のおもて面２ｔとうら面２ｂには、引出導体１１ａ，１１ｂがそれぞれ形成されている。引出導体１１ａ（第１の引出導体）は、基板２の側面２Ｘ１に沿って形成される。一方、引出導体１１ｂ（第２の引出導体）は、側面２Ｘ１と対向する側面２Ｘ２に沿って形成される。引出導体１１ａは平面スパイラル導体１０ａの外周端と接続され、引出導体１１ｂは平面スパイラル導体１０ｂの外周端と接続される。
【００３７】
基板２のおもて面２ｔには、平面スパイラル導体１０ａの最外周と基板２の端部との間の領域に、ダミー引出導体１５ａ（第１のダミー引出導体）が形成される。より具体的に説明すると、ダミー引出導体１５ａは引出導体１１ｂとほぼ同じ平面形状を有しており、平面的に見て引出導体１１ｂと重なる位置に配置される。つまり、ダミー引出導体１５ａは、基板２の側面２Ｘ２と平面スパイラル導体１０ａの最外周との間に形成されている。ダミー引出導体１５ａは、同一平面内で他の導体と接続されていないが、基板２を貫通するスルーホール導体１７（第２のスルーホール導体）を介して引出導体１１ｂと接続されている。基板２には導体埋込用のスルーホール１７ａが設けられ、その内部にスルーホール導体１７が埋め込まれている。
【００３８】
同様に、基板２のうら面２ｂには、平面スパイラル導体１０ｂの最外周と基板２の端部との間の領域に、ダミー引出導体１５ｂ（第２のダミー引出導体）が形成される。より具体的に説明すると、ダミー引出導体１５ｂは引出導体１１ａと同じ平面形状を有しており、平面的に見て引出導体１１ａと重なる位置に配置される。つまり、ダミー引出導体１５ｂは、基板２の側面２Ｘ１と平面スパイラル導体１０ｂの最外周との間に形成されている。ダミー引出導体１５ｂは、ダミー引出導体１５ａと同様、同一平面内で他の導体と接続されていないが、基板２を貫通するスルーホール導体１６（第３のスルーホール導体）を介して引出導体１１ａと接続されている。基板２には導体埋込用のスルーホール１６ａが設けられ、その内部にスルーホール導体１６が埋め込まれている。
【００３９】
平面スパイラル導体１０ａの最外周と対向するダミー引出導体１５ａの側面は、平面スパイラル導体１０ａの最外周の形状に合わせて湾曲している。平面スパイラル導体１０ｂの対向するダミー引出導体１５ｂの側面もまた、平面スパイラル導体１０ｂの最外周に沿って湾曲している。ダミー引出導体１５ａ，１５ｂの側面をこのような湾曲形状とした場合には、後述する平面スパイラル導体１０ａ，１０ｂを構成するめっき層の横方向への成長を確実に抑制することができ、高精度なパターンを形成することができる。平面スパイラル導体とダミー引出導体の間のスペース幅は、平面スパイラル導体のピッチ幅とほぼ等しく設定されていることが好ましい。このようにした場合には、最外周のライン幅を内側のラインと等幅にすることができるので、より高精度な特性の制御が可能である。
【００４０】
以上の平面スパイラル導体１０ａ，１０ｂ、引出導体１１ａ，１１ｂ、ダミー引出導体１５ａ，１５ｂはいずれも、無電解めっき工程によって下地層を形成した後、２度の電解めっき工程を経て形成される。下地層の材料及び２度の電解めっき工程で形成されるめっき層の材料は、いずれもＣｕとすることが好適である。２度目の電解めっき工程は、上述したＨＡＰめっき工程となる。製造工程の詳細については後ほど詳しく説明するが、ＨＡＰめっき工程においては、上述したように、隣接する他のシードレイヤがない箇所ではめっき層が横方向に大きく成長するおそれがある。これに対し、本実施の形態ではダミー引出導体１５ａ，１５ｂを設けているので、平面スパイラル導体１０ａ，１０ｂの最外周が極端に太くなるおそれはなく、所望の配線形状を維持することができる。
【００４１】
基板２のおもて面２ｔ側に設けられた平面スパイラル導体１０ａ、引出導体１１ａ、及びダミー引出導体１５ａは、絶縁樹脂層２１ａに覆われている。この絶縁樹脂層２１ａは、各導体と金属磁性粉含有樹脂層２２ａとの電気的導通を防止するために設けられているものである。同様に、基板２のうら面２ｂに設けられた平面スパイラル導体１０ｂ、引出導体１１ｂ、及びダミー引出導体１５ｂは、絶縁樹脂層２１ｂに覆われている。この絶縁樹脂層２１ｂは、各導体と金属磁性粉含有樹脂層２２ｂとの電気的導通を防止するために設けられているものである。
【００４２】
基板のおもて面２ｔ及びうら面２ｂは、絶縁樹脂層２１ａ，２１ｂの上からさらに、金属磁性粉含有樹脂層２２ａ，２２ｂにそれぞれ覆われている。金属磁性粉含有樹脂層２２ａ，２２ｂは、樹脂に金属磁性粉を混入して作られる磁性材料（金属磁性粉含有樹脂）によって構成される。金属磁性粉としては、パーマロイ系材料を用いることが好適である。具体的には、例えば、平均粒径が２０〜５０μｍであるＰｂ−Ｎｉ−Ｃｏ合金と、平均粒径が３〜１０μｍであるカルボニル鉄とを所定の比率、例えば７０：３０〜８０：２０の重量比、好ましくは７５：２５の重量比で含む金属磁性粉を用いることが好ましい。金属磁性粉含有樹脂層２２ａ，２２ｂにおける金属磁性粉の含有率は９０〜９７重量％であることができる。
【００４３】
一方、樹脂としては、液状又は粉体のエポキシ樹脂を用いることが好ましい。また、金属磁性粉含有樹脂層２２ａ，２２ｂにおける樹脂の含有率は３〜１０重量％であることが好ましい。樹脂は絶縁性結着材として機能する。以上の構成を有する金属磁性粉含有樹脂層２２ａ，２２ｂは、樹脂に対して金属磁性粉の量が少ないほど飽和磁束密度が小さくなり、逆に金属磁性粉の量が多いほど飽和磁束密度が大きくなるという性質を有している。
【００４４】
本実施の形態において、金属磁性粉含有樹脂は、平均粒径が異なる３種類の金属粉を含有するものであることが好ましい。このような金属粉を用いる場合には、金属磁性粉含有樹脂層の透磁率を維持したままコア損失を低減することができる。
【００４５】
金属磁性粉含有樹脂の透磁率は主に金属粉の粒径とその充填密度（嵩密度）に依存する。透磁率を高めるために金属粉の粒径を大きくすると、金属粉間の隙間が大きくなる。そのため、金属粉間の隙間を埋めるように粒径の小さな金属粉を加えることが効果的である。ところが、細密充填が進んで金属粉間の距離が近くなりすぎるとコア損失が大きくなってしまう。そこで、大径粉と小径粉との中間の大きさの中径粉を加えることで、透磁率を下げることなくコア損失を低減することができる。中径粉を加えた場合、金属粉の充填密度は大径粉と小径粉との組み合わせよりも少し下がると思われるが、粒径が大きくなるので、透磁率を維持することが可能である。
【００４６】
大径の金属粉は、平均粒径が１５〜１００μｍ、好ましくは２５〜７０μｍ、さらに好ましくは２８〜３２μｍのパーマアロイ系材料であることが好ましい。中径の金属粉は、平均粒径が４μｍのカルボニル鉄であることが好ましい。小径の金属粉は、平均粒径が１μｍのカルボニル鉄であることが好ましい。これらの重量比の一例をあげると、エポキシ樹脂、大径粉、中径粉、小径粉の比は、７４．５：１２．１５：１２．１５：３．０とすることが好ましい。このような金属磁性粉含有樹脂中の金属粉の粒度分布は、大径粉、中径粉及び小径粉の平均粒径の位置にピークを持ち、３つのピークがはっきりと現れるものである。
【００４７】
基板２には、図１に示すように、基板２のうち平面スパイラル導体１０ａ，１０ｂに囲まれた中央部（中空部）を貫通するスルーホール１４ａと、平面スパイラル導体１０ａ，１０ｂの外側を貫通する４つのスルーホール１４ｂが形成されている。４つのスルーホール１４ｂは基板２の側面２Ｙ１，２Ｙ２に設けられた半円形状の開口であり、基板２の四隅に対応してそれぞれ設けられている。金属磁性粉含有樹脂はこの磁路形成用スルーホール１４ａ，１４ｂ内にも埋め込まれており、埋め込まれた金属磁性粉含有樹脂は、図１に示すように、スルーホール磁性体２２ｃ，２２ｄをそれぞれ構成している。スルーホール磁性体２２ｃ，２２ｄはコイル部品１に完全な閉磁路を形成するためのものである。
【００４８】
なお、図１には示していないが、金属磁性粉含有樹脂層２２ａ，２２ｂの表面には薄い絶縁層が形成される。この絶縁層の形成は、金属磁性粉含有樹脂層２２ａ，２２ｂの表面をリン酸塩で処理することによって行う。この絶縁層を設けたことにより、外部電極２６ａと金属磁性粉含有樹脂層２２ａ，２２ｂとの電気的導通が防止される。
【００４９】
本実施の形態によるコイル部品１は、引出導体１１ａの上面にバンプ電極２５ａ（第１のバンプ電極）が、ダミー引出導体１５ａの上面にバンプ電極２５ｂ（第２のバンプ電極）が、それぞれ形成されている。バンプ電極２５ａ，２５ｂは、引出導体１１ａの上面及びダミー引出導体１５ａの上面のみを露出させるレジストパターンを形成し、各導体をシードレイヤとして、さらに電解めっきを行うことにより形成される。絶縁樹脂層２１ａ，２１ｂを形成する工程並びに金属磁性粉含有樹脂層２２ａ，２２ｂを形成する工程は、バンプ電極２５ａ，２５ｂの形成後に実施される。
【００５０】
バンプ電極２５ａ，２５ｂの平面形状は、引出導体やダミー引出導体の形状と同等か、それよりもひと回り小さな形状であり、引出導体やダミー引出導体の長手方向に延設されていることが好ましい。この構成によれば、バンプ電極の形成歩留りを向上させることができ、めっき成長の時短化を図ることができる。なお、本明細書において「バンプ電極」とは、フリップチップボンダーを用いてＣｕ，Ａｕ等の金属ボールを熱圧着することにより形成されるものとは異なり、めっき処理により形成された厚膜めっき電極を意味する。バンプ電極の厚さは、金属磁性粉含有樹脂層の厚さと同等かそれ以上であり、０．１〜０．４ｍｍ程度とすることができる。すなわち、バンプ電極の厚さは平面スパイラル導体等の導体パターンよりも厚く、特に、平面スパイラル導体の５倍以上の厚さを有している。
【００５１】
コイル部品１の底面であって金属磁性粉含有樹脂層２２ａの主面には、一対の外部電極２６ａ，２６ｂ（第１及び第２の外部電極）が形成されている。なお、図１は、コイル部品１の底面（実装面）が上向きの状態を示している。外部電極２６ａ，２６ｂは、上記のバンプ電極２５ａ，２５ｂを介して引出導体１１ａ，１１ｂにそれぞれ接続されている。外部電極２６ａ，２６ｂは、図示しない実装基板上に形成されたランドに半田実装される。これにより、実装基板上に形成された配線を通じて、平面スパイラル導体１０ａの外周端と平面スパイラル導体１０ｂの外周端との間に電流を流すことができる。
【００５２】
外部電極２６ａ，２６ｂは矩形パターンであり、バンプ電極２５ａ，２５ｂよりも広い面積を有しているが、その理由は以下の通りである。コイルのインダクタンスを大きくするためには、コイル形成領域をできるだけ大きくしなければならない。コイル形成領域を決められた寸法内でできる限り大きく設計するためには、コイルの外側に配置される引出導体やダミー引出導体はできるかぎり小さいほうがよい。しかし、引出導体やダミー引出導体を利用してバンプ電極を形成し、その露出面を外部電極とする場合において、引出導体やダミー引出導体の面積を小さくすると、その上に形成されるバンプ電極の面積も小さくなり、実装強度を保てない。そこで本実施の形態では、バンプ電極よりも大きな面積の外部電極（スパッタ電極）を設けて実装強度を確保している。
【００５３】
本実施の形態において、外部電極２６ａ，２６ｂは金属磁性粉含有樹脂層２２ａの主面に選択的に形成されている。すなわち、コイル部品１の底面だけに形成されており、側面や上面には形成されていない。外部電極をコイル部品１の側面にも形成した場合、表面実装時に半田フィレットが形成されるので、チップの実装状態を目視にて確認でき、確実な実装が可能であるが、半田フィレットの分だけコイル部品の実装マージンを広くとらなければならない。また、コイル部品の上面に外部電極が形成されていると、実装基板の上方が金属カバーで覆われている場合に、コイル部品の外部電極と金属カバーとの接触が問題となる。しかしながら、外部電極２６ａ，２６ｂがコイル部品１の底面だけに形成されている場合には、上記問題を回避することができ、半田フィレットの省略による高密度実装を実現することができる。
【００５４】
次に、コイル部品１の量産工程を説明しながら、ダミー引出導体１５ａ，１５ｂの役割についてより詳しく説明する。
【００５５】
図２〜図４、図６〜図１１は、コイル部品１の量産工程の途中におけるコイル部品１を示す図である。このうち図１０及び図１１を除く各図の（ａ）は、切断前の基板２をおもて面２ｔ側から見た平面図であり、（ｂ）は（ａ）のＡ−Ａ線断面図である。なお、図１０及び図１１を除く各図の（ａ）に示す破線は、ダイシング工程における切断線を示している。この切断線で囲まれた１つ１つの矩形領域（以下、単に「矩形領域」という）が、個々のコイル部品１となる。以下では、図２（ａ）中央の矩形領域に着目して説明することとし、この矩形領域の４辺を、図２（ａ）に示すように時計回りに辺Ａ１〜辺Ａ４と称する。図１０及び図１１は、ダイシング工程を経て個片化されたコイル部品１の断面図である。同図に示す断面は、図９のＢ−Ｂ線に対応している。
【００５６】
初めに、図２に示すように、基板２に導体埋込用のスルーホール１２ａ，１６ａ，１７ａと磁路形成用のスルーホール１４ａ，１４ｂとを設ける。スルーホール１２ａ，１４ａ，１６ａ，１７ａは、矩形領域ごとに１つずつ設けられる。なお、中心の矩形領域のパターン形状に対して、その上下左右の矩形領域のパターン形状は２回対称であり、そのためスルーホールの形成位置も異なっている。
【００５７】
各スルーホール１４ｂは円形パターンであり、Ｙ方向に延びる切断線Ａ２，Ａ４上にそれぞれ設けられており、切断線の両側のコイル部品に対して共通するものである。１つの矩形領域には４つのスルーホール１４ｂが関与している。基板２を切断線で切断すると、半円形状の切り欠きが得られ、これらは基板２の長手方向に延びる２つの側面２Ｙ１，２Ｙ２（第３及び第４の辺）にそれぞれ設けられている。
【００５８】
各スルーホール１４ｂの形成位置は、基板２の矩形領域の厳密な角部ではなく、角部よりもＹ方向の切断線Ａ１，Ａ３（側面２Ｙ１，２Ｙ２）の少し中央寄りに設けられている。基板２の側面２Ｘ１，２Ｘ２に沿った領域は、引出導体１１ａ，１１ｂ及びダミー引出導体１５ａ，１５ｂの形成領域として使用されるからである。そのため、後述するように、スルーホール１４ｂに邪魔されることなく、引出導体１１ａ，１１ｂ及びダミー引出導体１５ａ，１５ｂを側面２Ｘ１，２Ｘ２方向の端から端まで延在させることができる。これはすなわち、基板２をダイシングする前において、Ｘ方向に隣接する矩形領域内の引出導体どうし（あるいは引出導体とダミー引出導体）を連結できることを意味している。このような引出導体及びダミー引出導体の連結構造は、後述するＨＡＰめっき工程で、ｙ方向のみならずｘ方向にもめっき電流が流れるようにするためのものである。
【００５９】
次に、図３に示すように、基板２のおもて面２ｔに関して、矩形領域ごとに、内周端がスルーホール１２ａを覆う平面スパイラル導体１０ａを形成する。また、矩形領域の辺Ａ１（第１の辺）に沿って引出導体１１ａを形成するとともに、辺Ａ３（第２の辺）に沿ってダミー引出導体１５ａを形成する。引出導体１１ａは、辺Ａ１を挟んで隣接する他の矩形領域と共通であり、それぞれに形成される平面スパイラル導体１０ａの各外周端と接続するように形成される。ダミー引出導体１５ａは、辺Ａ３を挟んで隣接する他の矩形領域と共通であるが、それぞれに形成される平面スパイラル導体１０ａのいずれとも接続しない。
【００６０】
基板２のうら面２ｂに関しても同様に、矩形領域ごとに、内周端がスルーホール１２ａを覆う平面スパイラル導体１０ｂを形成する。また、矩形領域の辺Ａ３に沿って引出導体１１ｂを形成するとともに、辺Ａ１に沿ってダミー引出導体１５ｂ（図３には示されていない）を形成する。引出導体１１ｂは、辺Ａ３を挟んで隣接する他の矩形領域と共通であり、それぞれに形成される平面スパイラル導体１０ｂの各外周端と接続するように形成される。ダミー引出導体１５ｂは、辺Ａ１を挟んで隣接する他の矩形領域と共通であるが、それぞれに形成される平面スパイラル導体１０ｂのいずれとも接続しない。
【００６１】
図３の段階における平面スパイラル導体１０ａ，１０ｂ等の具体的な形成方法は、次のとおりである。すなわち、まず基板２の両面に無電解めっきによってＣｕの下地層を形成し、この下地層の表面にフォトレジスト層を形成する。なお、この下地層はスルーホール１２ａ内にも形成され、スルーホール導体１２を構成する。フォトレジスト層は、例えばシートレジストの貼り付けによって形成することができる。続いて、このフォトレジスト層に、片面ずつのフォトリソグラフィ法によって、平面スパイラル導体１０ａ，１０ｂ、引出導体１１ａ，１１ｂ、及びダミー引出導体１５ａ，１５ｂの形状の開口パターン（ネガパターン）を設ける。そして、電解めっきによって開口パターン内にめっき層を形成し、フォトレジスト層を除去した後、めっき層が形成された部分以外の下地層をエッチングにより除去する。ここでの電解めっき工程は、１度目の電解めっき工程（第１めっき工程）に相当する。ここでは、下地層はパターニングされていない平面導体であるので、めっき電流の流れる方向に関する問題は生じない。以上の工程により、それぞれ下地層とめっき層からなる平面スパイラル導体１０ａ，１０ｂ、引出導体１１ａ，１１ｂ、及びダミー引出導体１５ａ，１５ｂが完成する。
【００６２】
ここまでの工程で基板２のおもて面２ｔ及びうら面２ｂに形成した各導体は、後述するＨＡＰめっき工程（第２めっき工程）におけるシードレイヤとなる。このシードレイヤは、引出導体１１ａ，１１ｂ、ダミー引出導体１５ａ，１５ｂ及びスルーホール導体１２を通じてｘ方向とｙ方向の両方につながっているため、ＨＡＰめっき工程では、ｘ方向とｙ方向の両方にめっき電流を流すことが可能になる。
【００６３】
続いて、図４に示すように、ＨＡＰめっき処理を行う。具体的には、切断前の基板２の端部からシードレイヤとしての上記各導体に、０．０５〜０．３Ａ／ｍｍ２程度の、めっき電流としては大きな電流を流しながら、基板２をめっき液に浸す。この際、上述したようにシードレイヤがｘ方向とｙ方向の両方につながっていることから、めっき電流はｘ方向とｙ方向の両方に流れる。これにより、平面スパイラル導体１０ａ，１０ｂ等に金属イオンが均一に電着し、均一な膜厚のめっき層２０が形成される。
【００６４】
めっき層２０の形成により、図４（ｂ）に示すように、各導体の膜厚を大幅に増大させることが可能になる。このようにして大きな膜厚を確保するのは、本実施の形態によるコイル部品１が電源用のインダクタであり、極めて小さな直流抵抗を実現する必要があるためである。
【００６５】
しかし一方で、ＨＡＰめっき処理を行うと、上述したように、隣接する他のシードレイヤがない箇所では、めっき層２０が横方向に大きく成長する。図５は、実際にＨＡＰめっき処理を行って形成した平面スパイラル導体１０ａ，１０ｂの断面電子顕微鏡写真のトレースである。ただし、同図には、平面スパイラル導体１０ａ，１０ｂを単独で形成した例（ダミー引出導体１５ａ，１５ｂを含む他の導体が形成されていない例）を示している。同図に示すように、平面スパイラル導体１０ａの最内周１０ａ−１，最外周１０ａ−２及び平面スパイラル導体１０ｂの最内周１０ｂ−１，最外周１０ｂ−２はいずれも、その他の部分に比べて横方向に張り出している。これは、めっき層２０が横方向に大きく成長した結果である。
【００６６】
本実施の形態では、例えばおもて面２ｔにダミー引出導体１５ａを設けたので、図４（ｂ）に示すように、平面スパイラル導体１０ａの最外周とダミー引出導体１５ａとの間に、距離Ｄの間隙が確保される。これは、平面スパイラル導体１０ａの最外周を構成するめっき層２０の横方向への成長が、ダミー引出導体１５ａを構成するめっき層２０によって阻害された結果である。これらのことは、うら面２ｂでも同様である。このように、本実施の形態によれば、平面スパイラル導体１０ａ，１０ｂの最外周に成長するめっき層２０の横方向への成長がダミー引出導体１５ａ，１５ｂによって抑制され、平面スパイラル導体１０ａ，１０ｂの最外周が極端に太くなることを防止することができる。
【００６７】
次に、図６に示すように、引出導体１１ａ，１１ｂ及びダミー引出導体１５ａ，１５ｂの上面を選択的にめっき成長させ、これによりバンプ電極２５ａ，２５ｂを形成する。バンプ電極２５ａ，２５ｂの形成では、基板の全面にフォトレジスト層を形成し、このフォトレジスト層のバンプ電極２５ａ，２５ｂの形成位置にフォトリソグラフィ法によって開口パターン（ネガパターン）を設ける。そして、３度目の電解めっき工程（第３めっき工程）によって開口パターン内にめっき層を形成し、フォトレジスト層を除去する。以上の工程により、めっき層からなるバンプ電極２５ａ，２５ｂが形成される。バンプ電極２５ａ，２５ｂは、後述の金属磁性粉含有樹脂層２２ａよりも高くなるようにめっき成長させる必要がある。
【００６８】
その後、図７に示すように、基板２の両面に絶縁樹脂を成膜し、各導体を絶縁樹脂層２１ａ，２１ｂで覆う。このとき、バンプ電極も絶縁樹脂層で覆われることになる。また、スルーホール１４ａ，１４ｂの側壁も絶縁樹脂に覆われるが、スルーホール１４ａ，１４ｂの全域が絶縁樹脂によって埋め尽くされることのないようにする必要がある。
【００６９】
次に、図８に示すように、基板２の両面を金属磁性粉含有樹脂層２２ａ，２２ｂでそれぞれ覆う。具体的な形成方法について説明すると、まず基板２の反りを抑制するためのＵＶテープ（不図示）を基板２のうら面２ｂに貼り、おもて面２ｔに金属磁性粉含有樹脂ペーストをスクリーン印刷する。ＵＶテープの代わりに熱剥離テープを用いてもよい。また、スクリーン印刷の後には加熱してペーストを硬化させる。続いて、ＵＶテープを剥がし、うら面２ｂに金属磁性粉含有樹脂ペーストをスクリーン印刷する。また、スクリーン印刷の後には加熱してペーストを硬化させる。以上の処理により、金属磁性粉含有樹脂層２２ａ，２２ｂが完成する。
【００７０】
以上の工程において、金属磁性粉含有樹脂層２２ａ又は２２ｂはスルーホール１４ａ，１４ｂにも埋め込まれる。これにより、スルーホール１４ａ，１４ｂ内に、図１に示したスルーホール磁性体２２ｃ，２２ｄがそれぞれ形成される。
【００７１】
次に、図９に示すように、金属磁性粉含有樹脂層２２ａ，２２ｂの表面を研磨してその厚さを調整すると共に、金属磁性粉含有樹脂層２２ａの主面からバンプ電極２５ａ，２５ｂの先端部を露出させる。
【００７２】
次に、図１０に示すように、金属磁性粉含有樹脂層２２ａ，２２ｂの表面に絶縁層２３を形成する。絶縁層２３の形成は、金属磁性粉含有樹脂層２２ａ，２２ｂの表面をリン酸塩で化成処理することによって行う。
【００７３】
次に、図１１に示すように、金属磁性粉含有樹脂層２２ａの表面に一対の外部電極２６ａ，２６ｂを形成する。外部電極２６ａ，２６ｂは、バンプ電極２５ａ，２５ｂの先端部の露出位置を覆い、バンプ電極２５ａ，２５ｂと電気的に接続されるように形成される。外部電極は、スパッタリングにより形成することが好ましいが、スクリーン印刷により形成してもよい。
【００７４】
その後、ダイサーを用い、切断線Ａ１〜Ａ４に沿って基板２を切断する。これにより矩形領域ごとに個々のコイル部品１が得られる。最後に外部電極２６ａ，２６ｂの電極面を平滑にするため、最終のメッキ処理を行う。以上により、本実施の形態によるコイル部品１が完成する。
【００７５】
以上説明したように、本実施の形態によるコイル部品の製造方法は、平面スパイラル導体１０ａ，１０ｂの最外周と基板２の端部との間にそれぞれ形成されたダミー引出導体１５ａ，１５ｂが、ＨＡＰめっき工程において平面スパイラル導体１０ａ，１０ｂの最外周に成長するめっき層２０が横方向へ成長することを抑制する。したがって、平面スパイラル導体１０ａ，１０ｂの最外周の線幅が極端に太くなることを防止することができる。
【００７６】
また、ダミー引出導体１５ａを平面スパイラル導体１０ａの最外周と外部電極２６ａとの間に形成し、ダミー引出導体１５ｂを平面スパイラル導体１０ｂの最外周と外部電極２６ｂとの間に形成したので、平面スパイラル導体１０ａ，１０ｂの最外周と外部電極２６ａ，２６ｂとが意図しない位置（引出導体１１ａ，１１ｂ以外の位置）で短絡してしまうことを防止できる。
【００７７】
また、基板２（切断後の基板２）の各角部と、平面スパイラル導体１０ａ，１０ｂの中央部に対応する部分とにスルーホール磁性体を形成するので、これらを形成しない場合に比べ、コイル部品のインダクタンスを向上できる。
【００７８】
また、磁性基板ではなく金属磁性粉含有樹脂層２２ａ，２２ｂによって磁路を形成することから、直流重畳特性に優れた電源用チョークコイルを得ることが可能になる。
【００７９】
電源用チョークコイルにおいては、平面スパイラル導体の直流抵抗を低減するため、その厚さをできるだけ厚くしている。そのため、ＨＡＰめっき工程を実施している。ＨＡＰめっき工程では、Ｘ方向とＹ方向の両方に大電流を流す必要があるので、一枚の基板からコイル部品を多数個取りする場合には、基板上のシードレイヤがＸ方向にもつながっている必要がある。平面スパイラル導体の途中に短絡線を設けて平面スパイラル導体の最外周どうしを接続する方法も考えられるが、この場合、平面スパイラル導体が変形することになり、コイル特性が低下し、見栄えもよくない。引出導体やダミー引出導体がＸ方向につながっている場合には、そのような問題が生じず好適である。
【００８０】
引出導体やダミー引出導体は基板の短辺に実質的に接して設けられているので、磁路形成用スルーホールを基板の完全な角部に設けてしまうと、Ｘ方向への導体の連続性を断絶してしまうことになる。しかしながら、半円形状の開口（切り欠き）からなるスルーホールが基板の角部よりも少し中央部寄りに設けられている場合には、引出導体やダミー引出導体のＸ方向への連続性を邪魔することがなく、平面スパイラル導体の特性や見栄えの悪化を回避することができる。さらに、本実施形態においては、平面スパイラル導体が楕円スパイラル形状であることから、半円形状の磁路形成用スルーホールを上記の位置に形成しながら、十分なループサイズを確保することができる。
【００８１】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００８２】
例えば、上記実施の形態においては、基板の両面に平面スパイラル導体が形成されているが、本発明はこのような構成に限定されるものではなく、基板の一方の面だけに平面スパイラル導体が形成されたものであってもよい。
【００８３】
また、上記実施の形態において、バンプ電極の平面形状は、引出導体やダミー引出導体の形状をひと回り小さくしたものとしているが、本発明において、バンプ電極の形状は特に限定されず、例えば少なくとも１本のスルーホール導体によって構成されてもよい。
【００８４】
また、上記実施の形態において、平面スパイラル導体は楕円スパイラル形状であるが、本発明による平面スパイラル導体は長円スパイラルや真円スパイラルなどの他の円形スパイラル形状であってもかまわない。
【符号の説明】
【００８５】
１    コイル部品
２    基板
２Ｘ１，２Ｘ２    基板の側面
２Ｙ１，２Ｙ２    基板の側面
２ｂ    基板のうら面
２ｔ    基板のおもて面
１０ａ    平面スパイラル導体
１０ａ    平面スパイラル導体の最内周
１０ａ    平面スパイラル導体の最外周
１０ｂ    平面スパイラル導体
１０ｂ    平面スパイラル導体の最内周
１０ｂ    平面スパイラル導体の最外周
１１ａ，１１ｂ    引出導体
１２    スルーホール導体
１２ａ    スルーホール
１２ａ，１４ａ，１６ａ，１７ａ    スルーホール
１４ａ，１４ｂ    スルーホール
１５ａ，１５ｂ    ダミー引出導体
１６    スルーホール導体
１６ａ    スルーホール
１７    スルーホール導体
１７ａ    スルーホール
２０    めっき層
２１ａ，２１ｂ    絶縁樹脂層
２２ａ，２２ｂ    金属磁性粉含有樹脂層
２２ｃ，２２ｄ    スルーホール磁性体
２３    絶縁層
２５ａ，２５ｂ    バンプ電極
２６ａ，２６ｂ    外部電極
【図１】
2014013815.tif 000003
【図２】
2014013815.tif 000004
【図３】
2014013815.tif 000005
【図４】
2014013815.tif 000006
【図５】
2014013815.tif 000007
【図６】
2014013815.tif 000008
【図７】
2014013815.tif 000009
【図８】
2014013815.tif 000010
【図９】
2014013815.tif 000011
【図１０】
2014013815.tif 000012
【図１１】
2014013815.tif 000013